(57)【要約】 【課題】    手動式チエーンブロックの使用方法に付いて依り円滑にスピードアップ出来る為のアイデアで有る。従来の手動式チエーンブロックでは吊り荷フックを上下するのに時間が掛るがこの無駄な時間と労力を無くしたいと思う。【解決手段】  第一に、スライド式フック１９のチエーンの通過口１７に加重チエーン４を通し任意の長さで環状に繋ぎエンドレスとする。第二に、エンドレスとした加重チエーン４に引っ掛け式フック１０を使用する事により両者共吊り荷フックを定位置に移動する時間を大幅に短縮出来る手動式チエーンブロックが完成する。【選択図】    図１
2012025566.tif 000002
【特許請求の範囲】
【請求項１】
チエーンブロック本体１と、当該チエーンブロック本体１に取り付けられた手鎖用プーリー２と、当該手鎖用プーリーと連動する状態で前記チエーンブロック本体１に取り付けられたチエーン用プーリー３と、当該チエーン用プーリー３に巻き上げ及び巻き下げ可能に掛けられたチエーン４と、当該チエーン４に取り付けられた荷揚げ用フック全体１０（１９）と、前記チエーン４を巻き上げ及び巻き下げする為に前記チエーンブロック本体１の手鎖用プーリー２に掛けられた手鎖５とを、備えるチエーンブロックに於いて前記チエーン４を環状に繋いでエンドレスとし前記フック全体１０（１９）を、前記チエーン４に対して移動可能に取り付けた事を特徴とするチエーンブロック。
【請求項２】
前記フック全体１９は、前記チエーン４を通す為の通過孔１７が形成されたチエーンケーシング部１４と、当該チエーンケーシング部１４に連結された荷揚げ用フック７とを備えているものであり、前記チエーンケーシング部１４には、当該
チエーンケーシング部１４を前記チエーン４の所望の位置に固定する為のロックレバー１１，１２が取り付けられている請求項１に記載のチエーンブロック。
【請求項３】
前記チエーン４には、前記フック全体１９の他に少なくとも１つ以上のサブフックが取り付けられており、当該サブフックは、前記チエーン４の所望の位置に着脱自在に取り付け可能な、引っ掛け式フック１０である請求項２に記載のチエーンブロック。
【請求項４】
前記チエーン用プーリー３は、減速機構を介して前記手鎖用プーリー２と連動しているものである請求項１〜請求項３のいずれか一項に記載のチエーンブロック。
【発明の詳細な説明】
【技術分野】
【０００１】
本発明は、手動式チエーンブロックに於いて吊り荷フックを手鎖に依り巻き上げ巻き下げする時間を最小限にする為の発明である。
【背景技術】
【０００２】
従来のチエーンブロックでは、一旦巻き上げたフックは手鎖を数十回引き回して    下げなければならないので時間が掛る。
【発明の概要】
【発明が解決しようとする課題】
【０００３】
チエーンブロックを地上又は空中で横引きする際には、手鎖が引っ掛かったりチエーンブロック本体に巻き込んだりするので作業がスムースに進まない。
【課題を解決するための手段】
【０００４】
解決の手段として、吊り上げた荷物を手鎖に依り吊り荷を下げて吊りフックに掛った荷重が外れると同時にスライド式フック１０又は引っ掛け式フック１９だけを瞬時に次の荷物の場所に移動する事が可能に成る。
【発明の効果】
【０００５】
請求項１に対しては、荷物吊り上げ作業が終了する毎に荷揚げ用フックを元の位置に戻す為に巻き下げ動作を必ず行う必要が有ったが、本発明に依れば加重チエーン４に対して荷揚げ用フック１０（１９）だけを、移動可能で有るので巻き下げ動作を行う事無く荷揚げ用フックを即座に次の位置に移動させる事が出来る。
【０００６】
請求項２に対しては、前記フック全体１９を前記加重チエーン４の所望の位置に固定する為のロックレバー１１，１２が左右両側に備えられており当該ロックレバー１１，１２には安定して荷重を支える為に、加重チエーン４の肩部のＲ形状に合わせ１１ａ，１２ａのごとく削り込みを入れて摩擦面を依り多くとり滑りにくい形状にした、又当該１１ａ，１２ａで受け止めた力はレバー回転軸１３のピンを中心に回転するのでフック全体１９を荷重により下に引く力が増すほどロックレバー１１ｂ，１２ｂの面がチエーンケーシング１４に押しあてられ  強固なロックが出来る。  
【０００７】
請求項３に対しては、スライド式フック１９及びサブフックを使用し吊り荷作業を行うことができる、この際吊り荷を水平又は一定の角度に決めたい場合に加重チエーン４がエンドレスと成っている為同チエーン４の吊り荷の掛っていない方に引っ掛け式フック１０にて吊り荷の反対側に玉掛けをして、手鎖５を逆回転すればチエーンブロック
一台で有る程度吊り荷の角度調整は可能と成る。
【図面の簡単な説明】
【０００８】
【図１】本発明に依る手動チエーンブロックを示す側面図である。環状と成った加重チエーン４の形状変更を示す。
【図２】加重チエーン４に外から引っ掛けるタイプの移動式フック１０の姿図を示す。
【図３】図２のＢ−Ｂ矢視図を示す。
【図４】加重チエーン４を通過孔１７に通すタイプのスライド式フック１９の平面図を示す。
【図５】図４の側面図を示す。
【図６】図４のＡ−Ａ断面図を示す。
【発明を実施するための形態】
【実施例１】
【０００９】
チエーンブロック本体１と、当該チエーンブロック本体１に取り付けられた手鎖用プーリー２と、当該手鎖用プーリーと連動する状態で前記チエーンブロック本体１に取り付けられたチエーン用プーリー３と、当該チエーン用プーリー３に巻き上げ及び巻き下げ可能に掛けられたチエーン４と、当該チエーン４に取り付けられた荷揚げ用フック全体１０（１９）と前記チエーン４を巻き上げ及び巻き下げする為に前記チエーンブロック本体１の手鎖用プーリー２に掛けられた手鎖５とを、備えるチエーンブロックに於いて前記チエーン４を環状に繋いでエンドレスとし前記フック全体１０（１９）を前記チエーン４に対して移動可能に取り付けた。
【００１０】
本発明のチエーンブロックは加重チエーン４に対して吊りフック１０（１９）の位置を自由に変えられる為フックに荷重が掛るまでの時間を最小限にする事が出来る。
【００１１】
図６に示す１１〜１２のロックレバーは１３のピンを軸に回転するのでレバーのロック時には加重チエーン４を上に引く力が掛るほどロックする力も強固と成る。
【００１２】
本発明により電動機器などの使えない現場作業では大いに作業効率を高める事が期待できる。
【００１３】
本発明により手鎖プーリー２と加重チエーンプーリー３とのギア比率の大きい機種ほど手鎖を引く時間は長いので此の発明の効果は大きい。
【産業上の利用可能性】
【００１４】
以上の発明は手動チエーンブロックでないと出来ない作業を効率よく進める事が可能に成ると思われる。
【符号の説明】
【００１５】
１・・・チエーンブロック本体
２・・・手鎖用プーリー
３・・・加重チエーン用プーリー
４・・・加重チエーン（環状に繋ぎエンドレスと成った状態を示す）
５・・・手鎖
６・・・加重チエーン４への引っ掛け金具
７・・・荷揚げ用吊りフック
８・・・符号６と符号７・・・符号７と符号１５との連結ピン
９・・・ピンの外れ防止用スナップリング
１０・・・引っ掛け式フック全体
１１・・・レバーに依る加重チエーンロック時
１２・・・レバーに依る加重チエーン解放時
１１ａと１２ａ ・・・加重チエーン４の肩部のＲ形状に密接し荷重を支える
１１ｂと１２ｂ・・・加重チエーン４のロック時チエーンケーシング１４に押しあてられロックする。
１３・・・レバーの回転軸  （ピン）
１４・・・スライド式フックのチエーンケーシング部及びロック装置部
１５・・・スライド式フックのアーム部
１６・・・スライド式フックのケーシング本体
１７・・・スライド式フックケーシングの加重チエーン４の通過孔
１８・・・ロックレバー取り付け用ブラケット
１９・・・スライド式フック全体
【図１】
2012025566.tif 000003
【図２】
2012025566.tif 000004
【図３】
2012025566.tif 000005
【図４】
2012025566.tif 000006
【図５】
2012025566.tif 000007
【図６】
2012025566.tif 000008